(57)【要約】【課題】通気口からの浸水を防止でき、かつ、小型化が可能な直管型ガスメータを提供する。【解決手段】ガスメータ１は、上下方向に直線状に延びたガス流路が設けられたケース２と、ケース２内に収容され、ガス流路内の圧力と大気圧との差圧を計測する圧力センサと、ケース２に取り付けられるカバー４と、 を備えている。ケース２には通気口２０が形成されており、この通気口２０を介して圧力センサ設置部位への通気がなされている。カバー４は、ケース２に係止する爪４４を備えている。この爪４４は、通気口２０の直下に位置しており、下方から通気口２０に向かってくる水を遮る。【選択図】図６
0003222916.tif 000002
【実用新案登録請求の範囲】
【請求項１】
上下方向に直線状に延びたガス流路が設けられたケースと、
前記ケース内に収容され、前記ガス流路内の圧力と大気圧との差圧を計測する圧力センサと、
前記ケースの正面側に取り付けられるカバーと、 を備え、
前記ケースに下向きに開口した通気口が形成され、当該通気口を介して前記圧力センサ設置部位への通気がなされ、
前記カバーが、カバー本体と、前記ケースに係止する爪と、を備え、
前記ケースに係止した前記爪が、前記通気口の直下に位置している
ことを特徴とするガスメータ。
【請求項２】
前記ケースが、前記通気口の外周から筒状に下垂し、前記ケースの背面側が切り欠かれた部分筒状の防水壁を備え、
前記爪が前記防水壁の下端に係止する
ことを特徴とする請求項１に記載のガスメータ。
【請求項３】
前記通気口が、前記ケースの左右二箇所に形成されており、
前記爪が、前記各通気口に対応して２つ設けられている
ことを特徴とする請求項１又は２に記載のガスメータ。
【考案の詳細な説明】
【技術分野】
【０００１】
本考案は、ガスメータに関するものである。
【背景技術】
【０００２】
従来より、ガス流路が設けられたケースと、ガス流路内の圧力を計測する圧力センサと、を備えたガスメータが公知である（例えば特許文献１を参照）。この圧力センサは、ガス流路とケース内の大気圧室との境界に配置され、ガス流路内の圧力と大気圧との差圧を計測し、この差圧からガス流路内の圧力を計測する。前記大気圧室は、ケースの内外に連通した通気口から通気がなされることで大気圧に保たれている。
【０００３】
このようなガスメータは、通気口からケース内部への浸水を防ぐ防水対策を施す必要がある。そこで従来は、通気口に通じる通気路を入り組んだラビリンス構造にするなどの防水対策を施していた。
【先行技術文献】
【特許文献】
【０００４】
【特許文献１】特開２０１８−２５４４４号公報
【考案の概要】
【考案が解決しようとする課題】
【０００５】
ところで、本願考案者は、上記圧力センサを備えた直管型ガスメータ（ガス流路が直線状に延びたガスメータ）の小型化を検討していた。しかし、直管型ガスメータは、小型化するにあたって、通気口の防水対策のために取れるスペースが限られており、従来の防水対策をそのまま適用することができなかった。
【０００６】
そこで、本考案は、通気口からの浸水を防止でき、かつ、小型化が可能な直管型ガスメータを提供することを目的とする。
【課題を解決するための手段】
【０００７】
本考案のガスメータは、上下方向に直線状に延びたガス流路が設けられたケースと、前記ケース内に収容され、前記ガス流路内の圧力と大気圧との差圧を計測する圧力センサと、前記ケースの正面側に取り付けられるカバーと、 を備え、前記ケースに下向きに開口した通気口が形成され、当該通気口を介して前記圧力センサ設置部位への通気がなされ、前記カバーが、カバー本体と、前記ケースに係止する爪と、を備え、前記ケースに係止した前記爪が、前記通気口の直下に位置していることを特徴とする。
【考案の効果】
【０００８】
本考案によれば、ケースに係止した爪が通気口の直下に位置しているので、この爪によって下方から通気口に向かってくる水を遮ることができる。また、カバーをケースに固定するための爪が通気口の防水構造を兼ねているので、ガスメータの構成を簡素化することができ、小型化することができる。
【図面の簡単な説明】
【０００９】
【図１】本考案の一実施形態にかかるガスメータの斜視図である。
【図２】図１のガスメータの正面図である。
【図３】図１のガスメータの底面図である。
【図４】図２のガスメータのカバーを外した状態の正面図である。
【図５】図３のガスメータのカバーを外した状態の底面図である。
【図６】図２中のＡ−Ａ線に沿った断面図である。
【図７】図６中のＢ部の拡大図である。
【図８】図１のケースとカバーの間に浸入した水の排水経路を示す説明図である。
【考案を実施するための形態】
【００１０】
本考案の一実施形態にかかる「ガスメータ」について、図１〜８を参照して説明する。図１〜８に示すガスメータ１は、ガス流路３が内部に設けられたケース２と、ガス流路３を流れる燃料ガスの流量を計測する計測ユニットと、ガス流路３内の圧力を計測する圧力センサと、ケース２の正面２１側に設けられた表示部５と、ケース２の正面２１側に取り付けられたカバー４等 を備えている。
【００１１】
ガス流路３は、上下方向に直線状に延びており、ケース２の下方にガス流入口３１が露出しており、ケース２の上方にガス流出口３２が露出している。このようにガス流路が直線状に延びたガスメータは、「直管型ガスメータ」と呼ばれている。ガス流入口３１は、ガス供給源側（例えばＬＰガス容器に接続された圧力調整器）に接続される。ガス流出口３２は、燃焼器に至る配管に接続される。
【００１２】
上記圧力センサは、ガス流路３とケース２内の大気圧室との境界に配置され、ガス流路３内の圧力と大気圧との差圧を計測し、この差圧からガス流路３内の圧力を計測する。前記大気圧室は、ケース２の内外に連通した通気口２０から通気がなされることで大気圧に保たれている。
【００１３】
ケース２は、正面２１、背面２２、上面２３、底面２４、側面２５，２６を有する縦長の略矩形状に形成されている。正面２１には、表示部５を露出させるための窓２７が形成されている。また、図４に示すように、正面２１には、通信用端子７が設けられている。
【００１４】
上記通気口２０は、図５，６に示すように、ケース２における底面２４近傍の左右二箇所に形成されており、下向きに開口している。各通気口２０は、図５に示すように、円形に形成されている。また、各通気口２０には、防虫メッシュ６（図６においては図示省略）が取り付けられている。
【００１５】
図６に示すように、ケース２は、各通気口２０の外周から円筒状に下垂し、背面２２側が切り欠かれた部分円筒状の防水壁２９を備えている。以後、防水壁２９の切り欠かれた部分２９ａを「切欠き部２９ａ」と呼称する。
【００１６】
カバー４は、図２，３，６に示すように、正面２１に沿う平板状のカバー本体４１と、カバー本体４１の上端から突出した突出部４２と、カバー本体４１の下端から二股に分かれ、底面２４に沿って延びた一対のアーム部４３と、各アーム部４３の先端に連なった爪４４と、を備えている。
【００１７】
カバー本体４１は、上述した通信用端子７を覆う。突出部４２は、ケース２に形成された溝２８に嵌め込まれる。一対のアーム部４３各々は、一対の防水壁２９各々の正面２１側に位置してこれら防水壁２９を覆う。一対の爪４４各々は、一対の防水壁２９各々の下端に係止する。また、各防水壁２９に係止した各爪４４は、各通気口２０の直下に位置する。この状態でガスメータ１を真下から見ると、各爪４４によって各通気口２０の大半が隠れている。このカバー４は、突出部４２が溝２８に嵌め込まれ、一対の爪３３が一対の防水壁２９に係止することでケース２に取り付けられる。
【００１８】
カバー４がケース２に取り付けられた状態におけるガスメータ１の通気経路を図７に示す。図７に示すように、通気口２０の直下は爪４４で塞がっているが、通気口２０は切欠き部２９ａを介してケース２外部と連通している。これにより、図７中の矢印で示すように、底面２４側から切欠き部２９ａ、通気口２０を介して上記大気圧室、即ち圧力センサ設置部位への通気がなされる。
【００１９】
また、本ガスメータ１が屋外に設置される場合、雨水の跳ね返り等で底面２４に水がかかることがある。そのような場合、ケース２に係止した爪４４が通気口２０の直下に位置していることから、この爪４４によって下方から通気口２０に向かってくる水を遮ることができる。さらに、稀にではあるが、ケース２とカバー４の間に水が浸入することがあり、以下の防水対策が施されている。
【００２０】
上記防水対策として、図８に示すように、ケース２の正面２１に、通信用端子７を囲むようにリブ１１が設けられている。また、正面２１の下端かつ一対の防水壁２９に対応する位置に、庇状の壁１２が設けられている。これにより、ケース２とカバー４の間に浸入した水は、図８中の矢印で示すように、通信用端子７にかかることなくリブ１１に沿って下方に流れ、壁１２にて左右の排水路へ誘導され、ケース２とカバー４の間に設けられた水逃がし用の隙間から外部に排水される。この際、防水壁２９は、水が通気口２０に向かうことを防止する。
【００２１】
このように、本ガスメータ１は、下方から通気口２０に向かってくる水を爪４４によって遮ることができる。また、ケース２とカバー４の間に浸入して下方に流れる水を通気口２０に向かわせずに排水することができる。これらのことによって、通気口２０からケース２内に浸水すること、及び、通気口２０が水で塞がれることを防止できる。また、カバー４をケース２に固定するための爪４４が通気口２０の防水構造を兼ねているので、ガスメータ１の構成を簡素化することができ、小型化することができる。
【００２２】
なお、前述した実施形態は本考案の代表的な形態を示したに過ぎず、本考案は、この実施形態に限定されるものではない。即ち、本考案の骨子を逸脱しない範囲で種々変形して実施することができる。かかる変形によってもなお本考案の構成を具備する限り、勿論、本考案の範疇に含まれるものである。
【符号の説明】
【００２３】
１  ガスメータ
２  ケース
３  ガス流路
４  カバー
２０  通気口
４４  爪
【図１】
0003222916.tif 000003
【図２】
0003222916.tif 000004
【図３】
0003222916.tif 000005
【図４】
0003222916.tif 000006
【図５】
0003222916.tif 000007
【図６】
0003222916.tif 000008
【図７】
0003222916.tif 000009
【図８】
0003222916.tif 000010